【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
車両に搭載され、エリア限定の放送を受信する車両用放送受信装置であって、
放送波を受信する受信部と、
前記車両の走行に関する状態を判別する走行状態判別部と、
前記受信部の受信強度を記憶する受信強度記憶部と、
通知を行う通知部と、
前記走行状態判別部によって前記車両が停止中又は設定速度未満で走行中と判別された場合に、前記受信部の受信強度を受信強度記憶部に記憶させ、その後、前記走行状態判別部によって、前記車両が設定速度以上で走行中であると判別された場合に、前記受信強度記憶部に記憶された受信強度と基準値とを比較し、この比較結果に基づいて、前記通知部により前記放送波の受信に関する通知を実行させる通知制御部と、
を備えることを特徴とする車両用放送受信装置。
【請求項２】
前記受信部が受信中の前記放送波を受信できなくなった場合の動作に関する情報を記憶する動作情報記憶部を備え、
前記通知制御部は、前記通知部により前記放送波の受信に関する通知を実行させる場合に、前記動作情報記憶部に記憶された情報に基づき、前記放送波の受信以外の動作に関する通知を実行させること、
を特徴とする請求項１に記載の車両用放送受信装置。
【請求項３】
前記受信部は、受信した放送波の音声、または、音声と映像を出力し、
音声を入力する音声ソースまたは音声及び映像を入力する音声映像ソースの少なくともいずれかが接続され、前記受信部、前記音声ソース及び前記音声映像ソースを含む複数のソースのいずれかを選択するソース選択部と、
前記ソース選択部により選択されたソースから入力される音声、または、音声及び映像を出力する出力部と、を備え、
前記動作情報記憶部は、前記ソース選択部が前記受信部を選択する前に選択したソースを記憶し、
前記通知制御部は、前記通知部によって前記放送波の受信に関する通知を実行させる場合に、前記動作情報記憶部に記憶されたソースに関する通知をも実行させること、
を特徴とする請求項２記載の車両用放送受信装置。
【請求項４】
前記通知制御部は、前記走行状態判別部によって前記車両が設定速度以上で走行中であると判別され、且つ、前記車両の走行距離若しくは走行速度が予め設定された走行条件を満たした場合に、前記通知部により前記放送波の受信に関する通知を実行させること、
を特徴とする請求項１から３のいずれかに記載の車両用放送受信装置。
【請求項５】
前記通知制御部は、前記通知部により前記放送波の受信に関する通知を実行させた後、前記走行状態判別部によって前記車両が走行中でないと判別された場合に、前記通知部による前記放送波の受信に関する通知を停止させること、
を特徴とする請求項１から３のいずれかに記載の車両用放送受信装置。
【請求項６】
前記車両の位置を検出する位置検出部を備え、
前記通知制御部は、前記走行状態判別部によって前記車両が停止中又は設定速度未満で走行中と判別されたときの前記車両の位置が、予め休息地として設定された範囲内であり、その後、前記走行状態判別部によって前記車両が設定速度以上で走行中であると判別された場合に、前記通知部による前記放送波の受信に関する通知を実行させること、
を特徴とする請求項１から５のいずれかに記載の車両用放送受信装置。
【手続補正２】
【補正対象書類名】明細書
【補正対象項目名】０００５
【補正方法】変更
【補正の内容】
【０００５】
上記目的を達成するために、本発明は、車両に搭載され、エリア限定の放送を受信する車両用放送受信装置であって、放送波を受信する受信部と、前記車両の走行に関する状態を判別する走行状態判別部と、前記受信部の受信強度を記憶する受信強度記憶部と、通知を行う通知部と、前記走行状態判別部によって前記車両が走行中でないと判別された場合に、前記受信部の受信強度を受信強度記憶部に記憶させ、その後、前記走行状態判別部によって、前記車両が走行中であると判別された場合に、前記受信強度記憶部に記憶された受信強度と基準値とを比較し、この比較結果に基づいて、前記通知部により前記放送波の受信に関する通知を実行させる通知制御部と、を備えることを特徴とする。
本発明によれば、エリア限定の放送の受信中、車両が移動することにより放送を受信できなくなる可能性がある場合に、ユーザに対して受信に関する通知を行うことができる。このため、ユーザは、放送の音声や映像が途切れる前に、エリア限定の放送を受信できなくなることを知ることができる。
【手続補正３】
【補正対象書類名】明細書
【補正対象項目名】０００６
【補正方法】変更
【補正の内容】
【０００６】
また、本発明は、車両用放送受信装置において、前記受信部が受信中の前記放送波を受信できなくなった場合の動作に関する情報を記憶する動作情報記憶部を備え、前記通知制御部は、前記通知部により前記放送波の受信に関する通知を実行させる場合に、前記動作情報記憶部に記憶された情報に基づき、前記放送波の受信以外の動作に関する通知を実行させることを特徴とする。
本発明によれば、エリア限定の放送の受信中、放送を受信できなくなる可能性がある場合に、ユーザに対し、実行中の放送受信以外の動作について通知することができる。この通知により、例えば、ユーザに対して、受信中の放送波とは別の放送波の受信や、エリア限定の放送以外の放送の受信など、他の動作への切り替えを促すことができる。ユーザは、エリア限定の放送を受信できなくなることを事前に知ることができる。
【手続補正４】
【補正対象書類名】明細書
【補正対象項目名】０００７
【補正方法】変更
【補正の内容】
【０００７】
また、本発明は、車両用放送受信装置において、前記受信部は、受信した放送波の音声、または、音声と映像を出力し、音声を入力する音声ソースまたは音声及び映像を入力する音声映像ソースの少なくともいずれかが接続され、前記受信部、前記音声ソース及び前記音声映像ソースを含む複数のソースのいずれかを選択するソース選択部と、前記ソース選択部により選択されたソースから入力される音声、または、音声及び映像を出力する出力部と、を備え、前記動作情報記憶部は、前記ソース選択部が前記受信部を選択する前に選択したソースを記憶し、前記通知制御部は、前記通知部によって前記放送波の受信に関する通知を実行させる場合に、前記動作情報記憶部に記憶されたソースに関する通知をも実行させること、を特徴とする。
本発明によれば、受信した放送の音声や映像と他のソースの音声や映像とを出力可能な車両用放送受信装置が、受信中のエリア限定の放送を受信できなくなる可能性がある場合に、ユーザに対して他のソースに関する通知を行う。この通知により、例えば、ユーザに対して、エリア限定の放送の音声から他のソースの音声への切り替えを促すことができる。
【手続補正５】
【補正対象書類名】明細書
【補正対象項目名】０００８
【補正方法】変更
【補正の内容】
【０００８】
また、本発明は、車両用放送受信装置において、前記通知制御部は、前記走行状態判別部によって前記車両が走行していると判別され、且つ、前記車両の走行距離若しくは走行速度が予め設定された走行条件を満たした場合に、前記通知部により前記放送波の受信に関する通知を実行させること、を特徴とする。
本発明によれば、エリア限定の放送の受信中、車両の移動により放送を受信できなくなる可能性が特に高い場合に、ユーザに対して通知を行うことができる。
【手続補正６】
【補正対象書類名】明細書
【補正対象項目名】００１０
【補正方法】変更
【補正の内容】
【００１０】
また、本発明は、車両用放送受信装置において、前記車両の位置を検出する位置検出部を備え、前記通知制御部は、前記走行状態判別部によって前記車両が走行中でないと判別されたときの前記車両の位置が、予め設定された休息地であり、その後、前記走行状態判別部によって前記車両が走行中であると判別された場合に、前記通知部による前記放送波の受信に関する通知を実行させること、を特徴とする。
本発明によれば、車両が走行していない状態で受信されているエリア限定の放送が、車両の位置を含む限られたエリアを対象とした放送であり、受信中の車両が移動することにより放送を受信できなくなる可能性が特に高い場合に、ユーザに対して通知を行うことができる。
【手続補正７】
【補正対象書類名】明細書
【補正対象項目名】００１１
【補正方法】変更
【補正の内容】
【００１１】
本発明によれば、車両が移動することによりエリア限定の放送を受信できなくなる可能性がある場合に、ユーザに対して受信に関する通知を行うことができる。